(57)【特許請求の範囲】
【請求項１】
折り畳まれたシートが複数枚積層され、上下のシートが所定幅の重ね代を介して重ね合わされ、上のシートが持ち上げられたときにその下に位置するシートが一緒に持ち上げられるシート積層体と、前記シート積層体が収納され且つ前記シートを上から順番に取出す開口部（４）が形成されたケース（１）と、を有するシート収納体において、
前記ケース（１）は、少なくとも前記開口部（４）が形成されている部分が板材で形成され、前記開口部（４）の互いに対向する長辺側の縁部のそれぞれには、開口部（４）内に突出する平面形状が凸曲線状の３箇所以上の凸部（４ａ）と、隣り合う凸部（４ａ）の間に位置する平面形状が凹曲線状の凹部（４ｂ）とが形成され、前記凸部（４ａ）と凹部（４ｂ）とが同じ周期（Ｗ）で波状に形成されているとともに、短辺側の縁部に最も近い前記凸部（４ａ）と短辺側の縁部との間にも、平面形状が凹曲線状の凹部（４ｅ）が形成されており、
長辺側の前記縁部のそれぞれに形成された前記凸部は、その頂点が互いに対向して配置され、前記開口部内で対向する凸部（４ａ）の頂点（４ａ１）間の隙間の間隔（Ｈ）が１０ｍｍ以上であることを特徴とするシート収納体。
【請求項２】
前記凸部（４ａ）の頂点（４ａ１）間の間隔（Ｈ）が４０ｍｍ以下である請求項１記載のシート収納体。
【請求項３】
前記シートは、取出し時の引張り方向での湿潤時の破断強度が、２５ｍｍ幅当り４．９Ｎ以下の水解性シートである請求項１または２記載のシート収納体。
【請求項４】
折り畳まれたシートが複数枚積層され、上下のシートが所定幅の重ね代を介して重ね合わされ、上のシートが持ち上げられたときにその下に位置するシートが一緒に持ち上げられるシート積層体と、前記シート積層体が収納され且つ前記シートを上から順番に取出す開口部（４）が形成されたケース（１）と、を有するシート収納体において、
前記シートは、取出し時の引張り方向での湿潤時の破断強度が、２５ｍｍ幅当り４．９Ｎ以下の水解性シートであり、
前記ケース（１）は、少なくとも前記開口部（４）が形成されている部分が板材で形成され、前記開口部（４）の互いに対向する長辺側の縁部のそれぞれには、開口部（４）内に突出する平面形状が凸曲線状の３箇所以上の凸部（４ａ）と、隣り合う凸部（４ａ）の間に位置する平面形状が凹曲線状の凹部（４ｂ）とが形成され、前記凸部（４ａ）と凹部（４ｂ）とが同じ周期（Ｗ）で波状に形成されているとともに、短辺側の縁部に最も近い前記凸部（４ａ）と短辺側の縁部との間にも、平面形状が凹曲線状の凹部（４ｅ）が形成されており、
長辺側の前記縁部のそれぞれに形成された前記凸部（４ａ）は、その頂点（４ａ１）が互いに対向して配置されていることを特徴とするシート収納体。
【請求項５】
前記周期（Ｗ）が５〜２０ｍｍである請求項１ないし４のいずれかに記載のシート収納体。
【請求項６】
前記凸部（４ａ）での、頂点（４ａ１）を含む領域の曲率半径（Ｒ１）が、２〜１０ｍｍである請求項１ないし５のいずれかに記載のシート収納体。
【請求項７】
前記凸部（４ａ）の頂点（４ａ１）と、前記凹部（４ｂ）の底点（４ｂ１）との高低差（ｈ）が１〜１０ｍｍである請求項１ないし６のいずれかに記載のシート収納体。
【請求項８】
前記凸部（４ａ）での、頂点（４ａ１）を含む領域の曲率半径（Ｒ１）と、前記凹部（４ｂ）での、底点（４ｂ１）を含む領域の曲率半径（Ｒ２）とが、同じである請求項１ないし７のいずれかに記載のシート収納体。
【請求項９】
前記開口部（４）の互いに対向する短辺側の縁部には、平面形状が凹曲線状の短辺側凹部（４ｃ）と、この短辺側凹部（４ｃ）の両側に形成されて開口部（４）内に突出する凸曲線状の短辺側凸部（４ｄ）とが形成されて、
短辺側の縁部に最も近い前記凸部（４ａ）と短辺側の縁部との間に位置する前記凹部（４ｅ）と、前記短辺側凸部（４ｄ）とが連続しており、
前記短辺側凹部（４ｃ）の底点間の間隔が、開口部（４）の開口幅の最も広い部分である請求項１ないし８のいずれかに記載のシート収納体。
【発明の詳細な説明】
【０００１】
【発明の属する技術分野】
本発明は、ウエット状態などのシートが複数枚連続的に取り出し可能に収納されたシート収納体に係り、特に引張り強度の弱いシートでも１枚ずつ確実に取り出すことができるシート収納体に関する。
【０００２】
【従来の技術】
手拭きや乳児のお尻拭き、またはトイレあるいは台所の拭き取り清掃などに使用されるウエットシートは、二つ折りや三つ折りに畳まれた状態でボックス形状の容器に収納されている。そして上に位置するシートの折り畳まれた部分の下に位置するシートが挟まれて、上位のシートと下位のシートが所定の幅の重ね代で密着している。そして前記シートが取出されると、次のシートが上のシートに引きずられて持ち上げられ、上位のシートが取出された後に、下位のシートが容器内に残りその一部が前記開口部から突出する。
【０００３】
前記容器の開口部では、引き出し力を受けるシートに適度な抵抗力を与えることが必要である。適度な抵抗力を与えることにより、上位のシートが引き出されたときに下位のシートに抵抗が与えられて、上位と下位のシートの前記接合部が分離させられる。
【０００４】
前記抵抗力が弱すぎると、上位のシートを取出したときに、下位のシートが上位のシートに引きずられて分離されることなくそのまま出てしまうか、あるいは容器側に残ったとしても開口部からの突出量が大きくなる。
【０００５】
そこで前記抵抗力を高める方法として、前記開口部の幅を狭めることや、前記開口部の縁部から前記開口部内に向けて比較的長い弾性変形自在な舌片を設けることが考えられる。
【０００６】
【発明が解決しようとする課題】
しかし、開口部が狭すぎると、最上部に位置する最初のシートを前記開口部から取出すのが困難になる。また引張り強度の弱いシートを用いると、前記開口部から取出すときに、シートが破断されることがある。また前記舌片を設けた場合には、前記舌片がシートに噛み込まれるようになってシートが破断しやすい。
【０００７】
特に、水洗トイレットに流した際に、多量の水により崩壊する水解性シートは、湿潤時の破断強度が低いため、前記開口部によって適度な抵抗力を与えることが難しい。
【０００８】
本発明は上記従来の課題を解決するためのものであり、引張り強度の弱い水解性シートを用いた場合に、その引き出し時に破断が生じることなく、開口部から適度に突出できるようにしたシート収納体を提供することを目的としている。
【０００９】
【課題を解決するための手段】
本発明は、折り畳まれたシートが複数枚積層され、上下のシートが所定幅の重ね代を介して重ね合わされ、上のシートが持ち上げられたときにその下に位置するシートが一緒に持ち上げられるシート積層体と、前記シート積層体が収納され且つ前記シートを上から順番に取出す開口部が形成されたケースと、を有するシート収納体において、
前記ケースは、少なくとも前記開口部が形成されている部分が板材で形成され、前記開口部の互いに対向する長辺側の縁部のそれぞれには、開口部内に突出する平面形状が凸曲線状の３箇所以上の凸部と、隣り合う凸部の間に位置する平面形状が凹曲線状の凹部とが形成され、前記凸部と凹部とが同じ周期で波状に形成されているとともに、短辺側の縁部に最も近い前記凸部と短辺側の縁部との間にも、平面形状が凹曲線状の凹部が形成されており、
長辺側の前記縁部のそれぞれに形成された前記凸部は、その頂点が互いに対向して配置され、前記開口部内で対向する凸部の頂点間の隙間の間隔が１０ｍｍ以上であることを特徴とするものである。
【００１０】
例えば、前記シートは、取出し時の引張り方向での湿潤時の破断強度が、２５ｍｍ幅当り４．９Ｎ以下の水解性シートである。
【００１１】
また、本発明は、折り畳まれたシートが複数枚積層され、上下のシートが所定幅の重ね代を介して重ね合わされ、上のシートが持ち上げられたときにその下に位置するシートが一緒に持ち上げられるシート積層体と、前記シート積層体が収納され且つ前記シートを上から順番に取出す開口部が形成されたケースと、を有するシート収納体において、
前記シートは、取出し時の引張り方向での湿潤時の破断強度が、２５ｍｍ幅当り４．９Ｎ以下の水解性シートであり、
前記ケースは、少なくとも前記開口部が形成されている部分が板材で形成され、前記開口部の互いに対向する長辺側の縁部のそれぞれには、開口部内に突出する平面形状が凸曲線状の３箇所以上の凸部と、隣り合う凸部の間に位置する平面形状が凹曲線状の凹部とが形成され、前記凸部と凹部とが同じ周期で波状に形成されているとともに、短辺側の縁部に最も近い前記凸部と短辺側の縁部との間にも、平面形状が凹曲線状の凹部が形成されており、
長辺側の前記縁部のそれぞれに形成された前記凸部は、その頂点が互いに対向して配置されていることを特徴とするものである。
【００１２】
前記各発明において、前記両縁部に形成された前記凸部の周期が５〜２０ｍｍであることが好ましい。また、前記凸部での、頂点を含む領域の曲率半径が、２〜１０ｍｍであることが好ましい。
【００１３】
また、前記凸部の頂点と、前記凹部の底点との高低差が１〜１０ｍｍであることが好ましい。この場合、前記凸部での、頂点を含む領域の曲率半径と、前記凹部での、底点を含む領域の曲率半径とが、同じであることが好ましい形状である。
【００１４】
さらに、少なくとも前記凸部の頂点近傍で板厚方向に延びる切断面で切断した断面形状において、開口部の上下両縁部が面取りされていると、シートに破断を生じさせることがない。
【００１５】
本発明では、板材で形成された開口部の縁部に曲線状の凸部が形成されている。そして開口部内では凸部と凸部が対向した形状である。比較的強度の低いシートで例えば水解性シートが前記開口部から引き出される際に、前記凸部が前記シートに適度な抵抗力を与える。また凸部が曲線形状であるため、凸部がシートに食い込みにくく、よってシートが破断するようなことがない。
【００１６】
【発明の実施の形態】
以下、本発明について図面を参照して説明する。
【００１７】
図１は本発明のシート収納体の第１の実施の形態を示す斜視図、図２は図１のＩＩ−ＩＩ線の断面図、図３はシート収納体の開口部を示す平面図、図４はシート収納体の第２の実施の形態を示す斜視図である。
【００１８】
図１に示すシート収納体は、プラスチック製の硬質ケース１の内部に、図２に示すシート積層体１０が収納されている。
【００１９】
図１に示すケース１は、周囲を取り囲む側板部２と、上板部３とが一体に形成されている。そして前記上板部３に開口部４が形成されている。また前記側板部２の底部は開放されており、この開放部分に底板部５が着脱自在に取付けられている。前記シート積層体１０は、前記底部の開放部分から前記ケース１の内部に収納される。
【００２０】
また、前記ケース１では、上板部３の側辺部分に、蓋体６がヒンジ部７により回動自在に連結されている。前記蓋体６が倒されると、この蓋体６が前記上板部３の周囲に嵌着されて、前記開口部４が閉鎖される。
【００２１】
前記ケース１の上板部３はケース１を形成するプラスチック材料で形成された板であり、この板の部分に開口部４が形成されている。よって開口部４の周囲部分は、プラスチックの特性で若干撓むことができるが、シートの摺動力によって容易に撓まない程度の剛性を有している。
【００２２】
図３に示すように、前記開口部４の互いに対向する長辺側の両縁部には、前記縁部に沿って凸部４ａと凹部４ｂとが、交互に且つ連続して形成されている。一方の縁部に形成された前記凸部４ａおよび凹部４ｂと、他方の縁部に形成された前記凸部４ａおよび凹部４ｂは、それぞれ同じ周期Ｗで波状に形成されている。
【００２３】
両縁部に形成された凸部４ａと凸部４ａとが同じ位相で形成されており、開口部４内では、一方の縁部に形成された凸部４ａの頂点４ａ１と、他方の縁部に形成された凸部４ａの頂点４ａ１とが、間隔寸法Ｈを開けて対向している。
【００２４】
また、各凸部４ａは、その頂点４ａ１を含む領域での曲率半径がＲ１の曲線形状であり、各凹部４ｂは、その底点４ｂ１を含む領域での曲率半径がＲ２である。
【００２５】
前記開口部４の短辺側の縁部では、開口部４内から離れる方向へ形成された凹部４ｃと、その両側から開口部４内に突出する凸部４ｄ，４ｄが形成されている。よって、図３の左右両側で互いに対向する前記凹部４ｃの底点と前記凹部４ｃの底点との間が、最も開口幅寸法の広い部分となる。前記凹部４ｃの底点を含む領域の曲率半径はＲ３、前記凸部４ｄの頂点を含む領域の曲率半径はＲ４、凹部４ｅの底点を含む領域の曲率半径がＲ５である。
【００２６】
この実施の形態では凸部４ａの曲率半径Ｒ１と凹部４ｂの曲率半径Ｒ２が等しい（Ｒ１＝Ｒ２）。そして、Ｒ３とＲ４は互いに同じまたは別の寸法であり、好ましくはＲ１＝Ｒ２＞Ｒ４＞Ｒ３＞Ｒ５である。
【００２７】
図２に示すように、シート積層体１０は、複数のシート折り畳み体１１が積層されたものである。個々のシート折り畳み体１１は、長方形のシート１２が折り畳まれたものであり、その折り構造の一例は、中間片１３と、中間片１３から上方に折り返された上折り片１４と、中間片１３から下方へ折り返された下折り片１５とが折り形成されている。そして、各シートは水または液を含浸したウエット状態である。
【００２８】
そして上位のシート折り畳み体１１の前記中間片１３と下折り片１５との間に、下位のシート折り畳み体１１の上折り片１４が挟まれ、下折り片１５とその下のシートの上折り片１４とが幅寸法Ｌの範囲の重ね代１６で接合されている。前記重ね代１６では、シートどうしが水膜により密着している。
【００２９】
前記各シート１２は、使用後に水洗トイレへ捨てたときに多量の水で繊維がばらばらになるように崩壊する水解性シートであり、例えば、レーヨンやパルプなどの繊維から抄紙された紙、不織布で、水解性または水膨潤性のＣＭＣなどのバインダーが含まれているもの、または、繊維長が１０ｍｍ以下または７ｍｍ以下のレーヨンなどを用いウォータジェットで繊維を交絡させた不織布で、多量の水が与えられたときに１０ｍｍ以下の短い繊維の交絡がほぐれて水解するもの、またはレーヨンやパルプにフィブリル化レーヨンが含まれ、前記フィブリル化レーヨンをバインダーとして機能させた紙または不織布などである。
【００３０】
これらの水解性シートは、開口部４から引き出す方向での湿潤時の破断強度が、２５ｍｍ幅当り４．９Ｎ以下、または３Ｎ以下である。なお、前記破断強度は、幅２５ｍｍ長さ１５０ｍｍのシート片に、その重量の２．５倍の水分を含浸させ、テンシロン試験機によりチャック間距離１００ｍｍで保持し、チャック間に１００ｍｍ／ｍｉｎの速度を与えて引張り試験したときの破断時の引張り荷重である。
【００３１】
前記シート収納体では、シート積層体１０の最上部のシート１２を摘んで開口部４から引き出す際に、幅Ｌの重ね代１６で接合されている下位のシート１２が上方へ持ち上げられる。そして下位のシート１２が前記開口部４の縁部の凸部４ａにより両側から抵抗力を受け、上位のシート１２が取出されるときに、前記重ね代１６での接合が外れ、下位のシート１２が開口部４が少し突出した状態でケース１内に残る。
【００３２】
ここで、本発明では、前記シート１２が水解性シートのように引張り強度が極めて低いものであっても、前記開口部４により適度な抵抗力を与えることができ、しかもシートの破断を防止できる。その機能を以下に説明する。
【００３３】
折り畳まれているシート１２が開口部４から引き出される際に、図２に示すように、上折り片１４がＸ１方向へ引かれながら、また中間片１３がＸ２方向へ引かれながら、両側に位置する前記凸部４ａと凸部４ａとの間で拘束されながら開口部４の外へ至る。このとき、個々の凸部４ａによってシートに局部的な抵抗力が与えられて、重ね合わせ部１６が開口部４から出た時点で、下位のシート１２に与えられる抵抗力により、重ね合わせ部１６においてシートどうしが分離することができる。
【００３４】
ただし、前記凸部４ａは曲線形状であり、しかも各凸部４ａの頂点４ａ１が同一線上に位置しており、凸部４ａと凸部４ａとの間隔寸法Ｈは、各凸部の形成位置（ｉ）（ｉｉ）（ｉｉｉ）において同じである。よって、シートには複数の凸部４ａから均等に抵抗力が与えられ、凸部４ａとシートとの摺動抵抗が複数箇所に分散される。しかも、各凸部４ａの頂部４ａ１が曲線形状であるため、シートに対して破断を生じさせるような局部的に強い抵抗力が与えられるのを避けることができる。
【００３５】
したがって、水解性シートであっても、シートを破断することなく１枚ずつ順番に取出せ、また次のシートが開口部４から適度な寸法だけ突出する。
【００３６】
ここで、湿潤時の破断強度が、２５ｍｍ幅当り４．９Ｎ以下、あるいは３Ｎ以下と強度が弱いものである場合には、開口部の各寸法は以下の範囲であることが好ましい。
【００３７】
まず、開口部４内で対向する凸部４ａの頂点間の隙間の間隔Ｈは１０ｍｍ以上であることが好ましく、その上限は４０ｍｍであることが好ましく、さらに好ましくは３０ｍｍ以下である。また、前記両縁部に形成された前記凸部４ａの周期Ｗが５〜２０ｍｍであることが好ましく、さらには５〜１０ｍｍが好ましい。また、前記凸部４ａでの、頂点４ａ１を含む領域の曲率半径Ｒ１および、凹部４ｂでの、底点４ｂ１を含む領域の曲率半径Ｒ２が、共に２〜１０ｍｍであることが好ましい。また凸部４ａの頂点４ａ１と、凹部４ｂの底点４ｂ１との高低差ｈは、１〜１０ｍｍが好ましい。
また、前記凸部４ａは一方の側の縁部で３箇所以上で、対向する凸部４ａと凸部４ａが３組以上設けられている。例えば前記凸部４ａが１組または２組であると、この凸部４ａからシートへ与えられる摺動抵抗力が分散せずに１箇所または２箇所に集中し、シートに破断が生じやすくなる。
【００３８】
また図２に示すように、開口部４の縁部全周、または少なくとも凸部４ａの頂点４ａ１においては、その断面形状での上と下の縁部に面取りＣが形成されている。この面取りＣは半径ｒが０．１〜０．５ｍｍの円弧形状であることが好ましい。
【００３９】
図４は本発明の第２の実施の形態のシート収納体２０を示す斜視図である。
この収納体２０のケース２１は、樹脂フィルム、または樹脂フィルムとアルミニウムなどの金属箔とのラミネートシートなどの軟質な包装シートで形成されており、横シール２２、２２および、図示しない縦シールで密封されている。
【００４０】
そして前記軟質な包装袋であるケースの上面には、プラスチックまたは厚紙などの板材２３が貼り付けられている。そしてこの板材２３に図１と図３に示したのと同じ形状の開口部４が形成されている。また前記開口部４を塞ぐ軟質な蓋材２４が繰り返して貼着・剥離自在に取付けられている。
【００４１】
前記板材２３は、シートが開口部４を通過するときの摺動力で変形しない程度の剛性を有している。したがって、開口部４がシートに抵抗力を与えるときの機能は、図１に示す硬質ケースの開口部４と全く同じである。
【００４２】
また本発明では、収納体に収納されるシートが水解性シートに限られず、ウエット状態のシートであってもドライ状態のシートであっても、シートを破断させることなく取出すことが可能である。
【００４３】
【発明の効果】
以上詳述した本発明によれば、引張り強度が弱く破断しやすいシートであっても、確実に１枚ずつ分離して取出すことができる。また下位のシートの開口部からの飛び出し量も適度に設定できる。
【図面の簡単な説明】
【図１】本発明のシート収納体の第１の実施の形態を示す斜視図、
【図２】図１のＩＩ−ＩＩ線の断面図、
【図３】シート収納体の開口部を示す平面図、
【図４】シート収納体の第２の実施の形態を示す斜視図、
【符号の説明】
１  ケース
２  側板部
３  上板部
４  開口部
４ａ  凸部
４ａ１  頂点
４ｂ  凹部
４ｂ１  底点
５  底板部
１０  シート積層体
１１  シート折り畳み体
１２  シート
１６  重ね代
【図１】
0003813430.tif 000002
【図２】
0003813430.tif 000003
【図３】
0003813430.tif 000004
【図４】
0003813430.tif 000005